(57)【要約】【課題】季節や気温などに対応して連携運転時に絶縁トランスへの出力の交流電圧を切換えることにより、総合変換効率を上げたパワーコンディショナを提供する。【解決手段】太陽電池モジュールからの直流電圧をインバータで交流電圧を発生させ、前記インバータで変換された交流電圧を一次交流電圧として変圧された二次電圧を系統電圧とする絶縁トランスを備えた太陽光パワーコンディショナにおいて、前記絶縁トランスに昇圧率の高い高昇圧率タップと昇圧率の低い低昇圧率タップを設けるとともに、前記一次交流電圧を前記両タップの一方に切替え接続する切替スイッチを設け、季節情報を有するカレンダーと、前記太陽電池モジュールの温度を検知する検知器を備え、前記カレンダーの季節情報または検知器で検知された温度に基づいて前記切替スイッチを制御する制御部を設けたことを特徴とする。【選択図】図３
2014053982.tif 000002
【特許請求の範囲】
【請求項１】
太陽電池モジュールからの直流電圧をインバータで交流電圧を発生させ、前記インバータで変換された交流電圧を一次交流電圧として変圧された二次電圧を系統電圧とする絶縁トランスを備えた太陽光パワーコンディショナにおいて、
前記絶縁トランスに昇圧率の高い高昇圧率タップと昇圧率の低い低昇圧率タップを設けるとともに、前記一次交流電圧を前記両タップの一方に切替え接続する切替スイッチを設け、
季節情報を有するカレンダーと、前記太陽電池モジュールの温度を検知する検知器を備え、前記カレンダーの季節情報または検知器で検知された温度に基づいて前記切替スイッチを制御する制御部を設けたことを特徴とする太陽光パワーコンディショナ。
【請求項２】
請求項１に記載の太陽光パワーコンディショナにおいて、
前記制御部は、前記検知器が所定温度より低い太陽電池モジュールの温度を検出したとき、前記一次交流電圧を低昇圧率タップに接続し、前記検知器が所定温度より高い太陽電池モジュールの温度を検出したとき、前記一次交流電圧を前記高昇圧率タップに接続するように前記切替スイッチを制御することを特徴とする太陽光パワーコンディショナ。
【請求項３】
請求項１または２に記載の太陽光パワーコンディショナにおいて、
前記制御部は、前記カレンダーの冬の季節情報に基づいて、前記一次交流電圧を高昇圧率タップに接続し、前記カレンダーの冬以外の季節情報に基づいて、前記一次交流電圧を前記低昇圧率タップに接続するように前記切替スイッチを制御することを特徴とする太陽光パワーコンディショナ。
【請求項４】
請求項３に記載の太陽光パワーコンディショナにおいて、
前記制御部は、前記カレンダーの冬以外の季節情報において、前記検知器が所定温度より低い太陽電池モジュールの温度を検出したとき、前記一次交流電圧を低昇圧率タップに接続し、前記検知器が所定温度より高い太陽電池モジュールの温度を検出したとき、前記一次交流電圧を前記高昇圧率タップに接続するように前記切替スイッチを制御することを特徴とする太陽光パワーコンディショナ。
【請求項５】
請求項１〜４のいずれかに記載の太陽光パワーコンディショナにおいて、
前記制御部は、前記一次交流電圧を低昇圧率タップに接続した状態で運転中に発電電圧の低下により運転が停止したとき、前記一次交流電圧を前記低昇圧率タップから高昇圧率タップに接続を切替えて運転することを特徴とする太陽光パワーコンディショナ。
【請求項６】
請求項１〜５のいずれかに記載の太陽光パワーコンディショナにおいて、
前記制御部は、前記一次交流電圧を前記高昇圧率タップに接続する際に、装置の停止状態において接続することを特徴とする太陽光パワーコンディショナ。
【請求項７】
太陽電池モジュールからの直流電圧をインバータで交流電圧を発生させ、前記インバータで変換された交流電圧を一次交流電圧として変圧された二次電圧を系統電圧とする絶縁トランスを備え、制御部により運転制御する太陽光パワーコンディショナの制御方法において、
前記絶縁トランスに昇圧率の高い高昇圧率タップと昇圧率の低い低昇圧率タップを設けるとともに、前記一次交流電圧を前記両タップの一方に切換え接続する切替スイッチと、季節情報を有するカレンダーと、前記太陽電池モジュールの温度を検知する検知器を備え、
前記制御部により前記カレンダーの季節情報または前記検知器で検知された温度に基づいて、前記切替スイッチを制御して前記一次交流電圧を前記両タップの一方に接続することを特徴とする太陽光パワーコンディショナの制御方法。
【請求項８】
請求項７に記載の太陽光パワーコンディショナの制御方法において、
前記制御部は、前記検知器が所定温度より低い太陽電池モジュールの温度を検出したとき、前記一次交流電圧を低昇圧率タップに接続し、前記検知器が所定温度より高い太陽電池モジュールの温度を検出したとき、前記一次交流電圧を高昇圧率タップに接続するように前記切替スイッチを制御することを特徴とする太陽光パワーコンディショナの制御方法。
【請求項９】
請求項７または８に記載の太陽光パワーコンディショナの制御方法において、
前記制御部は、前記カレンダーの冬の季節情報に基づいて、前記一次交流電圧を高昇圧率タップに接続し、前記カレンダーの冬以外の季節情報に基づいて、前記一次交流電圧を前記低昇圧率タップに接続するように前記切替スイッチを制御することを特徴とする太陽光パワーコンディショナの制御方法。
【請求項１０】
請求項９に記載の太陽光パワーコンディショナの制御方法において、
前記制御部は、前記カレンダーの冬以外の季節情報において、前記検知器が所定温度より低い太陽電池モジュールの温度を検出したとき、前記一次交流電圧を低昇圧率タップに接続し、前記検知器が所定温度より高い太陽電池モジュールの温度を検出したとき、前記一次交流電圧を前記高昇圧率タップに接続するように前記切替スイッチを制御することを特徴とする太陽光パワーコンディショナの制御方法。
【請求項１１】
請求項７〜１０のいずれかに記載の太陽光パワーコンディショナの制御方法において、
前記制御部は、前記一次交流電圧を前記低昇圧率タップに接続した状態で運転中に発電電圧の低下により運転が停止したとき、前記一次交流電圧を前記低昇圧率タップから高昇圧率タップに接続を切替えて運転することを特徴とする太陽光パワーコンディショナの制御方法。
【請求項１２】
請求項７〜１１のいずれかに記載の太陽光パワーコンディショナの制御方法において、
前記制御部は、前記一次交流電圧を前記高昇圧率タップに接続する際に、装置の停止状態において接続することを特徴とする太陽光パワーコンディショナの制御方法。
【発明の詳細な説明】
【技術分野】
【０００１】
本発明は、太陽光パワーコンディショナ及びその制御方法に関する。
【背景技術】
【０００２】
トランス絶縁方式パワーコンディショナと、太陽電池モジュールについて説明する。
産業用途やメガソーラーの太陽光発電システム（１ＭＷ以上の出力を持つシステム）では、太陽電池モジュールとそれらを中間接続するための接続箱と、この接続箱を中継して直流電圧を交流電圧へと変換するパワーコンディショナで構成される。そして、パワーコンディショナに絶縁トランスを内蔵するものを、トランス絶縁方式パワーコンディショナと称する。
【０００３】
太陽電池モジュールは、１枚あたりの発電量は１８０〜２５０Ｗであり、電圧も２０〜３０Ｖ程度である。これを直並列接続して総容量とするため、１００ｋＷクラスの太陽光発電システムでは、２００Ｗのパネルを用いる場合５００枚程度が必要となる。例えば、一般的なモジュールの一例を挙げると、開放電圧３３．２Ｖ、最大出力動作電圧２６．６Ｖとなっているものがあり、これは日射量が同じであっても、モジュールの温度によって出力が変化する。一般的に太陽電池モジュールの特性として、温度が高いと開放電圧は低くなり、温度が低いと逆に開放電圧は高くなる。このため、起動時の温度範囲を０℃以上とするか、-２０℃以上とするかで、出力電圧に１０％程度の開きが生じる。
【０００４】
また、昨今の傾向として、太陽電池モジュールの容量大型化が進んで１枚のモジュールのＷ（ワット）数が上がり、直流電圧制御範囲も６００Ｖを超えて大きくなる傾向にある。しかし、この傾向は上限のみが上るので送電効率は上がるが、下限の制御範囲が広がらないため、パワーコンディショナの変換効率のみが上がらない状況となっている。
【０００５】
図５は、従来のトランス絶縁方式のパワーコンディショナの構成を示す。図５で、１は太陽電池モジュール、７は系統電源、２はパワーコンディショナを示す。パワーコンディショナ２は、ＤＣ／ＡＣコンバータ３、フィルタリアクトル４、フィルタコンデンサ５、絶縁トランス６とによって構成される。パワーコンディショナ２は、太陽電池モジュール１の発生する電圧/電流を、その電圧に係わらず一定の交流電圧を出力するように制御している。このため、パワーコンディショナ２が一定の交流電圧に制御できるように太陽電池モジュール１からの入力電圧範囲が規定される。
【０００６】
ここで、太陽電池モジュール１からの入力電圧範囲を広くするには、絶縁トランス６のＤＣ／ＡＣコンバータ３側と、系統電源７との間で昇圧させることにより実現できる。しかし、昇圧比を大きくすることは、出力容量が変わらないので、ＤＣ／ＡＣコンバータ３の出力電流を上昇させることとなる。出力電流が上昇すると、フィルタリアクトル４やＤＣ／ＡＣコンバータ３で損失が増加する結果となり、トランス絶縁方式のパワーコンディショナ２の変換効率が下がることとなる。
【０００７】
パワーコンディショナは、日射量や温度による太陽電池モジュールの出力電圧、電流から電力を効率良く取出すための、最大電力点追従(ＭＰＰＴ）制御機能を有している。また、パワーコンディショナは、直流電圧を交流電圧へと変換する際に、一般的に出力交流電圧が高く、電流が低い方が効率が良い。しかし、出力交流電圧を高くするには、出力交流電圧を高波形率で出力するための直流電圧も比例して高くする必要があり、太陽電池モジュールの制御範囲が高電圧側に偏って制御範囲が狭くなり、発電効率を低下させることとなる。
【０００８】
特許文献１には、ＰＷＭ制御により太陽電池の直流電圧を交流電圧に変換する電力変換部と、この交流電圧を一次電圧として変圧された二次電圧を得る変圧器を備え、該二次電圧から交流電力を得る装置において、該変圧器に変圧比を変えるタップを設け、該直流電圧及び該交流出力電圧の相関関係から該変圧器のタップを決定する判定手段を設けた電力変換装置が示されている。
【先行技術文献】
【特許文献】
【０００９】
【特許文献１】特開平４−３５５６６８号公報
【発明の概要】
【発明が解決しようとする課題】
【００１０】
しかしながら、特許文献１の電力変換装置は、太陽電池の容量が小さいため、基本的に太陽電池の直流電圧の大きさのみで変圧器のタップを切換えるように構成され、最近の大容量化された太陽電池モジュールの制御には適していない。また、季節による気温変化、一日の気温変化、太陽電池パネルの温度変化、日射量変化などについては考慮されてないため、
すなわち、最近の大容量化された太陽電池では、直流出力電圧の範囲が特に上限が広がることにより広がっているため、この直流電圧の上限から下限（低電圧停止）の広い範囲をパワーコンディショナで変換すると変換効率が悪くなる。また、最近の大容量化された太陽電池では、温度や日射量により開放電圧が大きく変化するため、温度や日射量に着目した制御が必要となる。
【００１１】
したがって、特許文献１の太陽電池の直流電圧の大きさで変圧器のタップを切換える構成では、最近の大容量化された太陽電池では直流電圧の上限とタップ切換え時の電圧の範囲が広くなるため、上述のようにパワーコンディショナでの変換効率が悪くなる。
【００１２】
太陽電池モジュールの温度変化による出力電圧特性変化に対応して、パワーコンディショナの総合効率を下げずに、直流電圧を交流電圧へと変換することが求められ、このためには直流電圧制御範囲を広げる必要があるが、下限を広げるためにはパワーコンディショナの出力交流電圧を低くする必要がある。しかし、ここで出力交流電圧を低くしてしまうと出力電流が上がるため、パワーコンディショナの損失が増加して変換効率が下がる。
【００１３】
この問題の対策として、季節(周囲温度推測値)ごとに交流電圧を変えることにより、太陽電池モジュールの温度変化による開放電圧範囲の許容幅を狭くて済むようにし、パワーコンディショナの変換効率を下げることなくパワーコンディショナの制御範囲を広げることが考えられる。
【００１４】
本発明は、従来の課題にかんがみ、トランス絶縁方式のパワーコンディショナにおいて、トランスに複数のタップを設け、季節や気温などに対応して連携運転時に上記タップを切換えて出力の交流電圧を切換えることにより、入力電圧範囲を広げ、総合変換効率を上げたパワーコンディショナを提供することを目的とする。
【００１５】
また、本発明は、トランスの出力の交流電圧を切換えることにより、起動時の電圧範囲を０℃以上、または、−２０℃以上などの起動の使用範囲に対応することで、総合変換効率を上げたパワーコンディショナを提供することを目的とする。
【課題を解決するための手段】
【００１６】
本発明は、上記従来の課題を解決するために、太陽電池モジュールからの直流電圧をインバータで交流電圧を発生させ、前記インバータで変換された交流電圧を一次交流電圧として変圧された二次電圧を系統電圧とする絶縁トランスを備えた太陽光パワーコンディショナにおいて、
前記絶縁トランスに昇圧率の高い高昇圧率タップと昇圧率の低い低昇圧率タップを設けるとともに、前記一次交流電圧を前記両タップの一方に切替え接続する切替スイッチを設け、
季節情報を有するカレンダーと、前記太陽電池モジュールの温度を検知する検知器を備え、前記カレンダーの季節情報または検知器で検知された温度に基づいて前記切替スイッチを制御する制御部を設けたことを特徴とする。
【００１７】
また、上記に記載の太陽光パワーコンディショナにおいて、前記制御部は、前記検知器が所定温度より低い太陽電池モジュールの温度を検出したとき、前記一次交流電圧を低昇圧率タップに接続し、前記検知器が所定温度より高い太陽電池モジュールの温度を検出したとき、前記一次交流電圧を前記高昇圧率タップに接続するように前記切替スイッチを制御することを特徴とする。
【００１８】
また、上記に記載の太陽光パワーコンディショナにおいて、前記制御部は、前記カレンダーの冬の季節情報に基づいて、前記一次交流電圧を高昇圧率タップに接続し、前記カレンダーの冬以外の季節情報に基づいて、前記一次交流電圧を前記低昇圧率タップに接続するように前記切替スイッチを制御することを特徴とする。
【００１９】
また、上記に記載の太陽光パワーコンディショナにおいて、前記制御部は、前記カレンダーの冬以外の季節情報において、前記検知器が所定温度より低い太陽電池モジュールの温度を検出したとき、前記一次交流電圧を低昇圧率タップに接続し、前記検知器が所定温度より高い太陽電池モジュールの温度を検出したとき、前記一次交流電圧を前記高昇圧率タップに接続するように前記切替スイッチを制御することを特徴とする。
【００２０】
また、上記に記載の太陽光パワーコンディショナにおいて、前記制御部は、前記一次交流電圧を低昇圧率タップに接続した状態で運転中に発電電圧の低下により運転が停止したとき、前記一次交流電圧を前記低昇圧率タップから高昇圧率タップに接続を切替えて運転することを特徴とする。
【００２１】
また、上記に記載の太陽光パワーコンディショナにおいて、前記制御部は、前記一次交流電圧を前記高昇圧率タップに接続する際に、装置の停止状態において接続することを特徴とする。
【００２２】
本発明は、上記従来の課題を解決するために、太陽電池モジュールからの直流電圧をインバータで交流電圧を発生させ、前記インバータで変換された交流電圧を一次交流電圧として変圧された二次電圧を系統電圧とする絶縁トランスを備え、制御部により運転制御する太陽光パワーコンディショナの制御方法において、
前記絶縁トランスに昇圧率の高い高昇圧率タップと昇圧率の低い低昇圧率タップを設けるとともに、前記一次交流電圧を前記両タップの一方に切換え接続する切替スイッチと、季節情報を有するカレンダーと、前記太陽電池モジュールの温度を検知する検知器を備え、
前記制御部により前記カレンダーの季節情報または前記検知器で検知された温度に基づいて、前記切替スイッチを制御して前記一次交流電圧を前記両タップの一方に接続することを特徴とする。
【発明の効果】
【００２３】
本発明によれば、太陽電池のモジュール温度や、周囲の温度変化に基づいて、変圧器のタップを切替えることにより、発電効率の向上と入力電圧の範囲を広げることができる。
【図面の簡単な説明】
【００２４】
【図１】本発明実施例のパワーコンディショナ構成の説明図である。
【図２】太陽光パネルの温度特性例の説明図である。
【図３】本発明実施例のパワーコンディショナの動作フロー図である。
【図４】本発明実施例の時間に対する発電量とパネル温度の特性図である。
【図５】従来のトランス絶縁方式のパワーコンディショナ構成の説明図である。
【発明を実施するための形態】
【００２５】
以下、本発明の実施例を図面を用いて説明する。図１は本発明実施例のパワーコンディショナ構成の説明図である。１は太陽電池モジュール、７は系統電源、２はトランス絶縁方式パワーコンディショナを示す。パワーコンディショナ２は、ＤＣ／ＡＣコンバータ（インバータ）３、フィルタリアクトル４、フィルタコンデンサ５、絶縁トランス６とによって構成される。太陽電池モジュール１からの直流電圧はインバータ３で交流電圧に変換され、変換された交流電圧を一次交流電圧としてリアクトル４とコンデンサ５を経由して、絶縁トランス６の一次側コイルに供給される。絶縁トランス６の二次側コイルには、一次交流電圧が変圧された二次電圧が発生し、この二次電圧を系統電圧として系統電源７に供給する。
【００２６】
パワーコンディショナ２は、太陽電池モジュール１の発生する電圧／電流を、その電圧に係わらず一定の交流電圧となるように制御している。ここで、パワーコンディショナ２が一定の交流電圧を制御できるように太陽電池モジュール１からの入力電圧範囲が規定される。
【００２７】
例えば、図２のような特性を持つ太陽電池モジュールの場合、これを１５直列で使用すると。最大出力動作電圧は−２０℃で約３２×１５＝４８０Ｖ、０℃では３０×１５＝４５０Ｖ、６０℃では２２×１５＝３３０Ｖ、８０℃では１９×１５＝２８５Ｖとなる。また、開放電圧が−２０℃では３８×１５＝５７０Ｖ、０℃では３６×１５＝５４０Ｖとなり、結局、−２０〜８０℃までを入力電圧範囲とするためには、ＤＣ２８５〜５７０Ｖを動作領域にする必要がある。
【００２８】
前述のように、入力電圧範囲を広くするためには絶縁トランス６のインバータ３側と、系統電源７との間で昇圧させることにより実現できるが、昇圧比を大きくするとインバータ３の出力電流が上昇して、フィルタリアクトル４やインバータ３の損失を上げ、パワーコンディショナ２の変換効率が下がることとなる。
【００２９】
本実施例では、絶縁トランス６の一次コイル（絶縁トランス６のインバータ３側のコイル）に昇圧率の高い高昇圧率タップ１１（１３０Ｖタップ）と、昇圧率の低い低昇圧率タップ１０（１８０Ｖタップ）を設けている。上記タップ１０、１１は、３相のＵＶＷの一次コイルにそれぞれ設けられ、各タップには前記インバータ３で変換された各相の一次交流電圧を切替え接続する切替スイッチ８、９の一方端が接続されている。高昇圧率タップ１１には切替スイッチ９の一方端が接続され、低昇圧率タップ１０には切替スイッチ１０の一方端が接続される。
【００３０】
１２は、季節情報を有するカレンダー１４と、前記太陽電池モジュール１の温度（パネル温度）を検知する検知器１３を備えた制御部であり、前記カレンダー１４の冬の季節情報、冬以外の季節情報、または／および検知器１３で検知された太陽電池モジュール１の温度に基づいて前記切替スイッチ８、９を開閉制御する。制御部１２は、切替スイッチ８、９の一方が閉じたとき他方が開くように、同時に閉じることが無いように切替スイッチを開閉制御する。
【００３１】
検知器１３は、太陽電池モジュール１の温度の検知以外に、太陽電池モジュール１からパワーコンディショナ２への入力電圧と、太陽の日射量と検知し、制御部１２はこれらの検知された値と比較する所定の各基準値（温度、日射量、入力電圧）を記憶しており、検知した値と各基準値との比較に基いて制御を行う。
【００３２】
上記構成において、図３の動作フロー図によりパワーコンディショナ２の動作を説明する。制御部１２は、ステップ（Ｓ）１００で、起動準備として、太陽電池モジュール１からの入力電圧が確認される。この値が所定の基準値を超えていると、Ｓ１０１でカレンダー１４からの季節情報を読出す。読出された情報が冬以外の季節情報のときＳ１０２で、日射量の強弱が判断される。日射量が基準値より弱いとき、Ｓ１０３で太陽電池モジュール１の温度（パネル温度）が判断される。パネル温度が基準値より低いとき、発電量が大きいと判断されて、Ｓ１０４で切替スイッチ８を閉じて切替スイッチ９を開き、インバータ３で変換された各相の一次交流電圧を低昇圧率タップ１０（１８０Ｖタップ）に供給するように接続する。
【００３３】
次いで、Ｓ１０５で上記のタップの接続状態で運転が開始される。運転の開始後、Ｓ１０６で太陽電池モジュール１からの入力電圧が監視され、所定の基準値以下（低電圧停止状態）か判定され、基準値以上であればＳ１０２に戻って以上の動作を繰返す。
【００３４】
Ｓ１０２で日射量が強いとき発電量が大きいと判断され、Ｓ１０４へ直接移り、上記のＳ１０４からＳ１０６の動作を行う。
【００３５】
制御部１２は、Ｓ１０１で冬の季節情報を読出すか、またはＳ１０３でパネル温度が高いとき発電量が少ないと判断する。Ｓ１０７で装置が運転停止中かを判断し、運転中であればＳ１０８で運転を停止した後に、また、運転停止中であればＳ１０９に移り、切替スイッチ８を開いて切替スイッチ９を閉じ、インバータ３で変換された各相の一次交流電圧を高昇圧率タップ１１（１３０Ｖタップ）に供給するように接続する。
【００３６】
次いで、Ｓ１１０で上記の高昇圧率タップの接続状態で運転が開始される。運転の開始後、Ｓ１１１で太陽電池モジュール１からの入力電圧が監視され、所定の基準値以下（低電圧停止状態）か判定され、基準値以上であればＳ１１０に戻って、高昇圧率タップの接続状態の運転を継続する。基準値以下（低電圧停止状態）であればＳ１１２で待機し、次いでＳ１００に戻って以上の動作を繰返す。
【００３７】
上記Ｓ１０８で一旦運転の停止処理を行うのは、Ｓ１０５での低昇圧率タップ１０（１８０Ｖタップ）の接続状態の運転がＳ１０６−Ｓ１０２−Ｓ１０３−Ｓ１７０の経路で継続している場合があるためで、運転停止状態で低昇圧率タップ１０から高昇圧率タップ１１への切替接続を安全に行うためである。
【００３８】
前記Ｓ１０６で低電圧停止状態が検知された場合は、Ｓ１０９で各相の一次交流電圧を高昇圧率タップ１１（１３０Ｖタップ）に供給するように接続する。
【００３９】
図４に本発明実施例の１日の時間に対する発電量とパネル温度の特性図を示す。上半分の特性は夏と冬の１日の発電量の状態を示す図であり、下半分の特性は夏と冬の１日のパネル温度の状態を示す図である。
【００４０】
上の特性において、夏の季節（冬以外）は比較的発電量が大きいので、朝晩以外（日中）は低昇圧率タップ１０（１８０Ｖタップ）を用いてパワーコンディショナ２の変換効率を上げて運転し、朝晩は発電量が減少するので高昇圧率タップ１１（１３０Ｖタップ）を用いて出来るだけ入力電圧範囲を広げる運転を行う。朝晩は日射量が減少して発電量が低下するが、パネル温度が低下するので発電量が増加するので、これらを考慮してタップの切替えが必要となり、図３のフローに従って行われる。冬の季節は発電量が少ないので、終日、高昇圧率タップ１１（１３０Ｖタップ）を用いて出来るだけ入力電圧範囲を広げる運転を行う。
【００４１】
上述のように、絶縁トランス６の低昇圧率タップ１０と高昇圧率タップ１１の定格電圧として、それぞれＡＣ１８０ＶとＡＣ１３０Ｖとすると、それぞれの太陽電池モジュール１からの直流入力電圧範囲は下記通りに設定できる。
【００４２】
これにより、冬の時期については、温度−２０〜６０℃で、入力電圧ＤＣ２８５Ｖ〜５４０Ｖの範囲として高昇圧率タップ１１（ＡＣ１３０Ｖタップ）で用いる。夏の時期については、温度０〜８０℃で、入力電圧範囲をＤＣ３３０〜５７０Ｖの範囲として低昇圧率タップ１０（１８０Ｖタップ）を使用する。但し、図４に示すように、朝晩が発電量が減少するので高昇圧率タップ１１（１３０Ｖタップ）を用いる。
冬：温度：−２０〜６０℃、
スイッチ：８オフ、９オン、高昇圧率タップ１１（ＡＣ１３０Ｖタップ）
トランス入力電圧：１３０Ｖ
入力電圧範囲：ＤＣ２８５〜５４０Ｖ
夏：温度：０〜８０℃、
スイッチ：８オン、９オフ、低昇圧率タップ１０（ＡＣ１８０Ｖタップ）
トランス入力電圧：１８０Ｖ
入力電圧範囲：ＤＣ３３０〜５７０Ｖ
なお、季節情報は地域（緯度）により温度が異なるので、カレンダー１４はその地域に合わせた情報を備えている。
【００４３】
季節、気温、地域などにより、外部のカレンダー機能などにより、上位から指令コントロールまたは手動切替などで停止中切替を行なうこともできる。例えば太陽電池モジュール１のパネル温度が０℃以上でスイッチ９のオン、−２０℃起動ありでスイッチ８のオンとすると、スイッチ９で制御範囲優先、スイッチ８で変換効率優先の運転とすることができる。
【００４４】
上記のように本実施例によれば、カレンダーの季節情報、日射量およびパネル温度により発電量を把握し、この発電量に応じて高昇圧率タップ１１（１３０Ｖタップ）と低昇圧率タップ１０（１８０Ｖタップ）に切換えて、各相の一次交流電圧を絶縁トランスを介して二次電圧に変換して系統電源７に供給することができる。したがって、高昇圧率タップ１１を用いることにより入力電圧範囲を広げる運転を行うことができ、また、低昇圧率タップ１０（１８０Ｖタップ）を用いることにより変換効率優先の運転を行うことができる。
【符号の説明】
【００４５】
１…太陽電池モジュール、２…パワーコンディショナ、３…インバータ（ＤＣ／ＡＣコンバータ）、４…フィルタリアクトル、５…フィルタコンデンサ、６…絶縁トランス、７…系統電源、８、９切替スイッチ、１０…低昇圧率タップ、１１…高昇圧率タップ、１２…制御部、１３…検知器、１４…カレンダー。
【図１】
2014053982.tif 000003
【図２】
2014053982.tif 000004
【図３】
2014053982.tif 000005
【図４】
2014053982.tif 000006
【図５】
2014053982.tif 000007